(57)【特許請求の範囲】
【請求項１】
前面枠の前面側に設けられた打球供給皿のパチンコ球を前面枠の裏面側に導いて垂直下方に誘導する球通路と、上下方向へ回動自在に軸支され、下方に回動した状態のとき球通路の先頭に位置するパチンコ球を球支持部の上面で受けて待機させると共に、上方に回動することにより球支持部の上面のパチンコ球を球受凹部に受け入れ、かつ下方への回動によって球受凹部に受け入れたパチンコ球を球通路の前側面の供給口から発射レールの発射位置に供給する球送り部材とからなる打球供給装置を備えたパチンコ機であって、
前記球送り部材は、両側部に前記発射レールと平行な回動支軸が設けられており、
前記球通路の後側面であって、かつ球送り部材の球支持部の上面部分に対応する位置に球抜取口を開設すると共に、該球抜取口と前面枠の前面側に設けられた下部球皿とを連通する球抜通路を設け、
前記球抜取口には、常に付勢されて球抜取口を閉鎖し、球抜き操作により球抜き方向と直交する方向に移動して球抜取口を開放する球抜部材を設け、
前記球送り部材の球支持部上面は、該球送り部材の軸を中心とする円弧面として形成し、さらに該球支持部上面で待機するパチンコ球を球支持部の円弧中心より球抜取口方向に片寄った状態で支持するようにしたことを特徴とするパチンコ機における打球供給皿の球抜装置。
【発明の詳細な説明】
【０００１】
【発明の属する技術分野】
本発明は、パチンコ機の前面枠の前面側に設けられた打球供給皿のパチンコ球を打球杆に連動して１個ずつ発射レールの発射位置に供給する打球供給装置を備えたパチンコ機に関し、さらに詳しくは打球供給皿のパチンコ球を打球供給装置内に残すことなくすべて下部球皿に抜き取ることができるようにしたパチンコ機における打球供給皿の球抜装置に関するものである。
【０００２】
【従来の技術】
従来のパチンコ機においては、前面枠の前面側に打球供給皿と下部球皿とを設け、打球供給皿のパチンコ球を前面枠の裏面側に設けられた打球供給装置に導いて１個ずつ発射レールの発射位置に供給するようにされている。一方、打球供給皿の底部には球抜孔が設けられると共に、該球抜孔にスライド板が配設されており、該スライド板を移動させて球抜孔を開放することにより打球供給皿のパチンコ球を下部球皿に抜き取るようにしていた。
【０００３】
【発明が解決しようとする課題】
上記した従来のパチンコ機にあっては、打球供給皿のパチンコ球を該打球供給皿の底部の球抜孔から直接に下部球皿へ抜き取るようにしているため、打球供給装置に導かれたパチンコ球は抜き取られないでそのまゝ打球供給装置内に残ってしまうという問題点があった。
【０００４】
そして、打球供給装置内に残ったパチンコ球を抜き取るためには、例えばその残されたパチンコ球を弱い弾発力で発射してファール球口から下部球皿に戻して回収する等遊技者に面倒な操作を行わせる必要があった。
【０００５】
一方、例えば実公平６−３６４８号公報記載のように発射球供給機構に球抜部材を設け、球抜き操作によって球抜部材を球抜位置へ変位させることにより上皿（打球供給皿）のパチンコ球をすべて球抜きすることができるようにしたパチンコ機が知られている。
【０００６】
しかし、この従来のパチンコ機においては、球抜部材が球抜き方向に移動可能なように設けられているため、上皿に貯留されるパチンコ球の過大な球圧が球抜部材に掛けられると該球抜部材が球抜き方向に移動して無用に球抜きされてしまうという問題点があった。
【０００７】
本発明は、上記した問題点に鑑みなされたもので、その目的とするところは、打球供給皿のパチンコ球を下部球皿に抜き取る際に打球供給装置内に残されたパチンコ球も残らず下部球皿に抜き取ることができるようにすると共に、打球供給皿に貯留されるパチンコ球の球圧によって無用に球抜きされてしまうような事態を確実に防止することができるようなパチンコ機における打球供給皿の球抜装置を提供することにある。
【０００８】
【課題を解決するための手段】
上記目的を達成するために、本発明は、前面枠の前面側に設けられた打球供給皿のパチンコ球を前面枠の裏面側に導いて垂直下方に誘導する球通路と、上下方向へ回動自在に軸支され、下方に回動した状態のとき球通路の先頭に位置するパチンコ球を球支持部の上面で受けて待機させると共に、上方に回動することにより球支持部の上面のパチンコ球を球受凹部に受け入れ、かつ下方への回動によって球受凹部に受け入れたパチンコ球を球通路の前側面の供給口から発射レールの発射位置に供給する球送り部材とからなる打球供給装置を備えたパチンコ機であって、前記球通路の後側面であり、かつ球送り部材の球支持部の上面部分に対応する位置に球抜取口を開設すると共に、該球抜取口と前面枠の前面側に設けられた下部球皿とを連通する球抜通路を設け、前記球抜取口には、常に付勢されて球抜取口を閉鎖し、球抜き操作により球抜き方向と直交する方向に移動して球抜取口を開放する球抜部材を設け、前記球送り部材の球支持部上面は、該球送り部材の軸を中心とする円弧面として形成すると共に、該球支持部上面で待機するパチンコ球を球抜取口に転動させ得る状態で支持するようにしたものである。
【０００９】
前記球通路は、球送り部材の球支持部上面で待機する先頭のパチンコ球が後続するパチンコ球の球圧によって常に球抜取口方向へ押圧作用を受けるように形成するのが好ましい。
【００１０】
また、打球供給皿の底部に球抜孔を開設し、打球供給皿と打球供給装置の両方からパチンコ球を抜き取ることができるようにするのが好ましい。この場合、打球供給皿の球抜孔は、球通路の球抜取口と連通状に設けるようにしてもよい。
【００１１】
上記のように構成されたパチンコ機における打球供給皿の球抜装置は、球抜き操作によって球抜部材を球抜取口を開放する位置に移動させると、球送り部材の球支持部上面で待機する球通路の先頭のパチンコ球が球抜部材による支持を失なって球抜取口から球抜通路に転動し、後続する打球供給皿のパチンコ球も球通路を通って球送り部材の球支持部上面から球抜通路に流出するもので、これによって打球供給皿及び打球供給装置の球通路内のパチンコ球を残らずすべて下部球皿に抜き取ることができる。
【００１２】
また、打球供給皿の底部に球抜孔を開設したものにおいては、球送り部材の球支持部上面で受けられて球通路内に並んで待機するパチンコ球は球抜取口から球抜通路に転動して下部球皿に排出され、打球供給皿のパチンコ球は球抜孔から球抜通路に直接に落下して打球供給装置の球送り部材に落下させることなく下部球皿に抜き取られるものであるから、打球供給皿のパチンコ球の抜き取りを早く行うことができると共に、球送り部材が損傷しないように保護することが可能となる。
【００１３】
【発明の実施の形態】
次に、本発明の一実施の形態を図面に従い説明する。図１は本発明に係るパチンコ機の正面図、図２はガラス枠及び前面板を開放した状態のパチンコ機の下部部分の斜視図である。図において、１はパチンコ機の前面枠、２は前面枠１の後面に着脱自在に装着される遊技盤であって、該遊技盤２の右下側に発射レール３が装着されている。４は発射レール３の発射部５に先端が臨む打球杆、６は発射レール３の前面を覆う前面板であって、遊技盤２の上方部を覆うガラス枠７と一緒に前面枠１の一側に開閉自在に装着されている。前記前面板６の表面には打球供給皿８が設けられている。また、前面枠１の下部前面には打球供給皿８の余剰球を貯留する下部球皿９と打球発射用の操作ハンドル１０が設けられている。
【００１４】
前記打球供給皿８は、図３に示すように本体部１１と該本体部１１の前面外側を覆うカバー部材１２とから構成されている。本体部１１はパチンコ球を貯留する皿部１３と該皿部１３の上縁部分を囲う飾板部１４及び皿部１３の下方に延出する側板部１５とを有する。前記皿部１３は底部が一方に緩やかに下り傾斜してその傾斜下部にパチンコ球が一列に整列される整流部１６が形成されており、該整流部１６の下流端が位置する前面板６には皿部１３のパチンコ球を前面板６の裏側に流出させる球出口１７が開設されている。また、前面板６には後述する球抜取口３０と連通状の横長孔１８が開設されている。
【００１５】
一方、前面板６の裏側には打球供給装置１９が設けられている。この打球供給装置１９は、打球供給皿８に貯留されるパチンコ球を前面板６の球出口１７から一個ずつ発射レール３の発射位置５に供給するためのもので、通路構成部材２０と球送り部材２１とにより構成されている。
【００１６】
通路構成部材２０は、図４に示すように前面板６の球出口１７に合致する流入口２２が開設された台板部２０ａと、垂直状の球通路２３が形成された本体部２０ｂとに二分割して形成されており、該球通路２３の終端に球送り部材２１が配設されている。また、球通路２３の下部前側面に発射レール３の発射位置５に対応する供給口２４が形成されている。
【００１７】
前記球送り部材２１は、両側部に発射レール３と平行な回動支軸２５が一体に突設されており、該回動支軸２５を供給口２４に形成された軸受凹部２６，２６に嵌めて上下方向へ回動自在に支持されている。この球送り部材２１は、自然状態では下方に回動するように重心が設けられている。また、球送り部材２１は下方に回動した状態（図６（イ）参照）のとき球通路２３の先頭に位置するパチンコ球を上面で受け止めて支持する球支持部２７と、上方に回動（図６（ロ）実線参照）することにより球支持部２７から落下するパチンコ球を受け入れて保持し、かつ下方に回動されたときそのパチンコ球を供給口２４から発射レール３の発射位置５に送り出す半円状の球受凹部２８と、球通路２３から外方へ突出する係合ピン２９とが一体に設けられている。
【００１８】
しかして、前記通路構成部材２０の台板部２０ａには、球送り部材２１の球支持部２７の上面部分に対応するように横長孔１８と連通する球抜取口３０が形成されており、該球抜取口３０に球抜部材３１が配設されている。この球抜部材３１は、図５ないし図７に示すように後側部分が打球供給皿８の側板部１５に設けられたガイド部３２に左右方向、すなわち球抜き方向と直交する方向に往復移動自在に支持されており、かつ前端に形成された板状部３１ａを前面板６の横長孔１８から球抜取口３０に臨ませている。なお、打球供給皿８の側板部１５には、横長孔１８を介して球抜取口３０と連通する球抜通路３３が形成されており、該球抜通路３３は前面板６に開設された流出口３４及びファール球回収シュート３５を介して下部球皿９に連通されている。４８は球抜部材３１をスライドさせるため台板部２０ａに形成された切欠溝である。
【００１９】
前記球送り部材２１の球支持部２７の上面は、図６（イ）に示すように回動支軸２５を中心とする円弧面として形成されており、かつ球支持部２７上面で待機するパチンコ球を球抜取口３０に転動させ得る状態で支持するようになっている。また、前記球通路２３は、球送り部材２１の球支持部２７上面で待機する先頭のパチンコ球が後続するパチンコ球の球圧によって常に球抜取口３０方向へ押されるような作用力を受けるように形成されている。
【００２０】
なお、前記球送り部材２１の係合ピン２９は図５に示すように発射レール３の下方であり、かつ遊技盤２の前面側に軸３６で回動自在に軸支された連動レバー３７の押圧部３８に当接可能なようになっている。また連動レバー３７は、軸３６より下方に垂下するレバー部３９を一体に備え、該レバー部３９が打球杆４に固着された引掛杆４０と係合可能なようになっている。
【００２１】
一方、打球供給皿８の側板部１５の前面側には図７及び図８に示すように球抜部材３１を球抜き操作するための逆Ｌ字形をなすレバー部材４１と操作部材４２とが設けられている。レバー部材４１は軸４３により揺動自在に軸支されており、該軸４３より下方に形成された長孔４４に球抜部材３１の後端の突起４５を臨ませている。また、レバー部材４１には復帰用のコイルばね４６が連結されており、該コイルばね４６によって球抜部材３１を球抜取口３０を閉じる位置に付勢している。
【００２２】
また、前記操作部材４２は、軸４７によって上下方向へ回動自在に軸支されると共に、レバー部材４１に接触状に位置して飾板部１４の透孔４８から上方に突出されており、該操作部材４２を押圧してレバー部材４１を図８鎖線のように回動させることによって球抜部材３５を球抜取口３０を開放する位置に移動させることができるようになっている。
【００２３】
本発明は、上記のような構成からなるもので、次にその作用について説明する。図６（イ）に示すように打球供給皿８に貯留されるパチンコ球は、整流部１６によって一列に整列されながら前面板６の球出口１７から流入口２２を経て球通路２３に連続して流入し、その先頭に位置するパチンコ球Ｂが下方に回動した状態に置かれている球送り部材２１の球支持部２７上面の円弧面に受けられて待機する。なお、この際に球支持部２７上のパチンコ球Ｂは球抜取口３０に転動させ得るように球支持部２７の円弧中心より若干球抜取口３０方向に片寄った状態で支持され、かつその側面が球抜部材３１の板状部３１ａに当接して球抜取口３０への流出が阻止されている。従って、この状態のとき打球供給皿８に貯留されるパチンコ球の過大な球圧が球抜部材３１に加えられても該球抜部材３１が球抜き方向に移動して球抜取口３０を開放するようなことがなく確実に球抜取口３０を閉鎖し続けることになる。
【００２４】
一方、この状態で打球杆４が図５鎖線のように発射準備位置に回動されると引掛杆４０によって連動レバー３７のレバー部３９が引寄せられて該連動レバー３７が軸３６を支点として上方（時計廻り方向）へ回動し、これの押上部３８が球送り部材２１の係合ピン２９を上方へ押上げる。このため、球送り部材２１が回動支軸２５を支点として図６（ロ）実線のように上方（反時計廻り方向）へ回動し、球支持部２７の円弧上面で支持されていたパチンコ球Ｂが球受凹部２８に落下して保持される。
【００２５】
そして、打球杆４が図５実線で示す発射位置に回動すると、球送り部材２１は連動レバー３７の押上部３８による押し上げが解除されて自重とパチンコ球Ｂの重量で図６（ロ）鎖線のように下方（時計廻り方向）に回動し、球受凹部２８のパチンコ球Ｂを供給口２４から発射レール３の発射位置５に供給する。同時に後続するパチンコ球Ｂ１を球支持部２７の円弧上面で支持するもので、その後は打球杆４の往復回動ごとに球通路２３のパチンコ球が１個ずつ発射位置５に供給されることになる。
【００２６】
しかして、打球供給皿８のパチンコ球を下部球皿９に抜き取るには図９（イ）に示す状態において、操作部材４２を図８鎖線のように押圧してレバー部材４１をコイルばね４６の復帰勢力に抗して回動させる。これによって、球抜部材３１がレバー部材４１の長孔４４に係合する突起４５を介して同図左方向に移動し図９（ロ）に示すように球抜取口３０を開放する。
【００２７】
このため、先ず球送り部材２１の球支持部２７の円弧上面で受けられて球通路２３で待機する先頭のパチンコ球Ｂが球抜部材３１の板状部３１ａによる支持を失なって球抜通路３３に転動し、次いで後続する打球供給皿８のパチンコ球も球通路２３を通って球送り部材２１の球支持部２７上に落下しながら球抜取口３０から球抜通路３３に連続して転動しすべて下部球皿９に抜き取られる。
【００２８】
そして、打球供給皿８のパチンコ球を下部球皿９に抜き取った後、操作部材４２の押圧を解除すると、コイルばね４６の復帰勢力によってレバー部材４１が図８実線で示す元の位置に復帰し、同時に球抜部材３１も図９（ハ）に示す位置に移動して球抜取口３０を閉鎖する。
【００２９】
次に、図１０ないし図１２を参照して第２実施の形態について説明する。この第２実施の形態では、打球供給皿８と打球供給装置１９の両方からパチンコ球を抜き取ることができるようにしたものである。なお、図１０ないし図１２において前記第１実施の形態と同じ構造のものには同一符号を付して示している。これについて説明すると、図１０に示すように打球供給皿８の整流部１６の下流端底部に球抜通路３３に連通する球抜孔４９が開設されている。一方、球抜部材３１には球抜孔４９を開閉する水平板部５０が一体に形成されている。その他の構成は第１実施の形態と同じである。
【００３０】
しかして、図１２（イ）に示す状態において操作部材４２を図８鎖線のように押圧してレバー部材４１をコイルばね４６の復帰勢力に抗して回動させると球抜部材３１が同図左方向に移動し、図１２（ロ）に示すように球抜取口３０を開放すると同時に打球供給皿８の球抜孔４９を開放する。このため、打球供給皿８のパチンコ球は球抜孔４９から球抜通路３３に流出して下部球皿９に抜き取られる。また、打球供給装置１９の球通路２３に導かれて球送り部材２１の球支持部２７上に残っているパチンコ球は、球抜取口３０から球抜通路３３に転動して下部球皿９に抜き取られる。
【００３１】
この第２実施の形態では、打球供給皿８のパチンコ球を打球供給装置１９を通過させることなく球抜きすることができるので、打球供給皿のパチンコ球の抜き取りを早く行うことができると共に、打球供給装置１９の球送り部材２１上にパチンコ球を落下させないようにすることができるので球送り部材２１の破損を防止するのに役立つ。
【００３２】
図１３及び図１４は第３実施の形態を示すもので、打球供給皿８の球抜孔４９を打球供給装置１９の球抜取口３０と連通状に設けたものである。
【００３３】
この実施の形態では、図１３に示すように球送り部材２１の球支持部２７上面で待機するパチンコ球Ｂが後続のパチンコ球Ｂ１の球圧によって供給口２４方向へ押されるような作用力を受けても後続のパチンコ球Ｂ１が球抜部材３１の支持を失なって球抜通路３３に転動することになるため、球圧に影響されることなく効果的に球抜きをすることができる。
【００３４】
【発明の効果】
以上、説明したところから明らかなように、本発明に係るパチンコ機における打球供給皿の球抜装置によれば、打球供給皿のパチンコ球を下部球皿に抜き取る際に打球供給装置内に残留するパチンコ球を同時に抜き取ることができるようにしたものであるから、従来のように打球供給装置に残されたパチンコ球を下部球皿に回収するための面倒な操作を不要とすることができ、遊技者のサービス向上を図れる利点がある。
【００３５】
また打球供給皿に貯留されるパチンコ球の過大な球圧が球抜部材に加えられても無用に球抜取口が開放されて球抜きされてしまうというような事態を確実に防止することができる。
【図面の簡単な説明】
【図１】本発明に係るパチンコ機の正面図である。
【図２】ガラス枠及び前面板を開放して示すパチンコ機の下部部分の斜視図である。
【図３】打球供給皿の分解斜視図である。
【図４】打球供給装置の分解斜視図である。
【図５】打球供給装置部分の断面正面図である。
【図６】打球供給装置の作用を説明する断面側面図で、（イ）は球送り部材が下方に回動した状態を示し、（ロ）は球送り部材が上方に回動した状態を示すものである。
【図７】打球供給皿と下部球皿との関連構成を示す要部の断面側面図である。
【図８】操作部材とレバー部材の関連構成を示す正面図である。
【図９】球抜き作用を説明する要部の斜視図で、（イ）は球抜取口を閉鎖した状態、（ロ）は球抜取口を開放した状態、（ハ）は球抜き終了後の状態を示すものである。
【図１０】第２実施の形態に係る打球供給皿の分解斜視図である。
【図１１】第２実施の形態に係る要部の断面図である。
【図１２】第２実施の形態に係る球抜き作用を説明する要部の斜視図で、（イ）は球抜取口及び球抜孔を閉鎖した状態、（ロ）は球抜取口及び球抜孔を開放した状態を示すものである。
【図１３】第３実施の形態に係る要部の断面図である。
【図１４】第３実施の形態に係る球抜き作用を説明する要部の斜視図で、球抜孔及び球抜取口を開放した状態を示すものである。
【符号の説明】
１        前面枠
３        発射レール
５        発射位置
８        打球供給皿
９        下部球皿
１９      打球供給装置
２１      球送り部材
２３      球通路
２７      球支持部
２８      球受凹部
３０      球抜取口
３１      球抜部材
３３      球抜通路
４９      球抜孔
５０      球抜部材の水平板部
【図１】
0004014674.tif 000002
【図２】
0004014674.tif 000003
【図３】
0004014674.tif 000004
【図４】
0004014674.tif 000005
【図５】
0004014674.tif 000006
【図６】
0004014674.tif 000007
【図７】
0004014674.tif 000008
【図８】
0004014674.tif 000009
【図９】
0004014674.tif 000010
【図１０】
0004014674.tif 000011
【図１１】
0004014674.tif 000012
【図１２】
0004014674.tif 000013
【図１３】
0004014674.tif 000014
【図１４】
0004014674.tif 000015